(57)【要約】【課題】  設置や点検にかかるコストと手間が低減できる、照準精度に優れ、且つ照準視野が広い、光軸確認が容易な照準器と、光軸確認作業において照準ターゲットの視認性が良好な赤外線式防犯装置を提供する。【解決手段】  目を近づけて覗く接眼透光部と、照準ターゲットが設置されている方向からの光が入射する対物透光部と、対物透光部から入射した光を接眼透光部へ反射する平面ミラーとを備えた照準器において、対物透光部の周辺領域を有色透明に構成することで、接眼透光部から覗いたときに、前記対物透光部の周辺領域よりも中心領域の視認性が高くなり、有色透光部においても照準ターゲットを確認できる広い視野を有しながら、光軸確認が容易な照準器を実現できる。また、赤外線式防犯装置を構成する投光器および受光器の少なくとも一方に蛍光色の色調を呈する部分を設けることで、照準ターゲットの視認性が良好となり、光軸確認が容易となる。【選択図】図１
2005049206.tif 000002
【特許請求の範囲】
【請求項１】
赤外線式防犯装置を構成する投光器または受光器に設けられて両者間の光軸を確認するための照準器であって、接眼透光部と、対物透光部と、平面ミラーとを備え、前記対物透光部の周辺領域が有色透明で構成され、前記接眼透光部から覗いたときに、前記対物透光部の周辺領域よりも中心領域の視認性が高く設定されていることを特徴とする赤外線式防犯装置の照準器。
【請求項２】
赤外線式防犯装置を構成する投光器および受光器の少なくとも一方に蛍光色の色調を呈する部分を設けたことを特徴とする赤外線式防犯装置。
【発明の詳細な説明】
【技術分野】
【０００１】
本発明は、一対の投光器と受光器とから検知ラインを構成し、この検知ラインを侵入者が遮断したことを検知して警報信号を出力する赤外線式防犯装置に関するものであり、詳しくは赤外線防犯装置の光軸を確認するための照準器に関する。また、本発明は、光軸を確認する際に、対向する投光器または受光器の視認性を良好にした赤外線式防犯装置に関する。
【背景技術】
【０００２】
侵入者を検知する赤外線式防犯装置は、一対の投光器と受光器とからなる検知ラインを、侵入者を検知すべき警備対象となる建物等の周囲に張り巡らしたり、警備対象となる建物等の出入口に設定し、前記建物等に侵入者が侵入しようとすると、侵入者の体の一部が前記検知ラインを横切ることで、投光器から出射された赤外線が受光器に入射しなくなり、受光器から出力される検出信号が変化する。この受光器から出力される検出信号の変化が、信号処理部により検出されることで、侵入者の存在が検知され得るようになっている。
【０００３】
上述したように、赤外線式防犯装置は、一対の投光器と受光器とからなる検知ラインを、侵入者を検知すべき警備対象となる建物等の周囲に張り巡らしたり、警備対象となる建物等の出入口に設定するが、警備対象の設置環境によっては、投光器と受光器との設置間距離は数百ｍの長距離になる場合がある。両者の設置間距離が長くなる程、適正な検知感度を確保するために、投光器と受光器間の光軸（以下、検知光軸という）を一致させる必要があるが、検知光軸の確認は難しくなる。そこで、従来の赤外線防犯装置では、検知光軸の確認を容易にする図１に示すような照準器が、受光器および投光器に設けられている。
【０００４】
従来の照準器は、図５に示すように、接眼透光部１１および対物透光部１２の二つの透光部と、平面ミラー１６とを備え、検知光軸を一致させる相手（以下、照準ターゲットということがある）となる、対向する受光器または投光器が存在する方向Ｔと平面ミラー１６上の中心点Ｒとを結ぶ照準軸である光軸ＴＲが、検知光軸と平行になるように、受光器および投光器に取り付けられている。ここで、照準軸とは、照準ターゲットが存在する方向Ｔから対物透光部１２の中心に入射し、平面ミラー１６で反射されて接眼透光部１１の中心を通る光軸をいう。
【０００５】
従来の一般的な技術によれば、接眼透光部１１および対物透光部１２には、丸穴が利用されてきたが、投光器と受光器との設置間距離が長距離になると、接眼透光部１１から覗いたときに視認できる照準ターゲットの像は小さいものとなり、照準ターゲットの像が照準軸上に視認されているか否かを判断するのは困難であった。そこで、接眼透光部１１または対物透光部１２のどちらかの透光部に、例えば、図６に示すように、丸穴の周辺から中心に向かう突起を、あるいは中心から放射状に切欠きを、設けて透光部の中心を明確にし、照準を合わせ易くした照準器の提案が実用新案登録第１３９６８９０号に開示されている。
【特許文献１】実用新案登録第１３９６８９０号
【発明の開示】
【発明が解決しようとする課題】
【０００６】
図５に示す従来の照準器において、接眼透光部１１および対物透光部１２を丸穴で構成すると、穴径を大きくすれば、視野が広がり、照準ターゲットの存在を視認することは容易となるが、透光部における中心位置が曖昧となり、透光部の中心に照準ターゲットが視認されることで、照準ターゲットが照準軸上に位置していると判断することが難しくなる。逆に、穴径を小さくすれば、光軸合わせの精度は高くなるが、視野が狭くなってしまい、照準ターゲットが照準軸から少しでも外れていると、照準ターゲットの存在を視野内に確認することができなくなってしまう。
【０００７】
また、図６に示すように、接眼透光部１１または対物透光部１２に中心を明確にする照準マーカーを設けて照準を合わせ易くした照準器の提案においては、照準軸を確認しようとする設置者の目から、前記照準マーカーが設けられた接眼透光部１１または対物透光部１２までの距離と、照準ターゲットまでの距離とが著しく異なるため、設置者はいずれか注視した方に目の焦点を合わせようとする。この結果、照準ターゲットを注視すれば、前記照準マーカーが設けられた透光部においては焦点ずれの状態となり、図６に示すような透光部の中心を分かり易くするための突起または切欠きを明確に認識することは難しく、照準マーカーとしての効果を十分に果たせないという問題があった。
【０００８】
さらに、従来の赤外線式防犯装置を構成する投光器および受光器は、警備上の理由から、その設置が目立たないように暗色系の色調を呈する部品により構成されていたが、検知光軸の確認作業においては、対向する投光器または受光器の存在が背景にとけ込んでしまい、照準ターゲットを確認することが困難になるという問題があった。
【０００９】
本発明は、前述のような問題を解消するためになされたものであり、設置や点検にかかるコストと手間が低減できる光軸確認が容易な照準器と、視認性に優れた投光器および受光器により構成される赤外線式防犯装置とを提供するものである。
【課題を解決するための手段】
【００１０】
上記の目的を達成するためになされた本発明の照準器は、目を近づけて覗く接眼透光部と、対向する受光器または投光器の方向からの光が入射する対物透光部と、前記対物透光部から入射した光を前記接眼透光部へ反射する平面ミラーとを備え、前記対物透光部の周辺領域が有色透明に構成されることで、前記接眼透光部から覗いたときに、前記対物透光部の周辺領域よりも中心領域の視認性が高く設定されていることを特徴とする。
【００１１】
さらに、本発明の赤外線式防犯装置を構成する投光器および受光器は、少なくともその一方に蛍光色の色調を呈する部分を設けたことを特徴とする。
【発明の効果】
【００１２】
請求項１記載の本発明の照準器によれば、対物透光部の周辺領域が有色透明に構成され、周辺領域よりも中心領域の視認性が高く設定されているので、照準器の中心を確認することが容易であり、且つ有色透明な周辺領域においても照準ターゲットの存在を視認することができ、広い照準視野を有するという利点がある。
【００１３】
また、請求項２記載の発明によれば、赤外線式防犯装置を構成する投光器および受光器の少なくとも一方に蛍光色の色調を呈する部分を設けることで視認性が良好となり、照準ターゲットの確認が容易となる。
【発明を実施するための最良の形態】
【００１４】
照準精度が高く、照準視野の広い、光軸合わせが容易な赤外線式防犯装置の照準器を、最小の部品点数と製造が容易な構造で実現するとともに、視認性が良好な投光器および受光器により構成される赤外線防犯装置を提供する。以下、図面に基づいて本発明を詳細に説明する。
【００１５】
図１および図２は、本発明による照準器の実施形態を示す概略断面図、図３は本実施形態における照準器の対物透光部を示す正面図である。
【００１６】
図１および図２に示すように、照準ターゲットが設置されている方向Ｔから対物透光窓１３の中心に入射した、検知光軸と平行な光ＴＲは、平面ミラー１６で反射されて接眼透光部１１を通り、Ｓ方向に達するようにされているので、照準器１０によって赤外線式防犯装置の検知光軸を確認するには、検知光軸と照準器１０の照準軸とが常に平行となるように、照準器１０を投光器および受光器に取り付ければよい。
【００１７】
また、図１に示すように、照準器１０の対物透光部１２は、対物透光窓１３と、図３に示すように、周辺領域１５ｂが有色透明で中心領域１５ａが例えば無色透明で構成され、接眼透光部１１から覗いたときに、周辺領域１５ｂよりも中心領域１５ａの視認性が高く設定された構成の照準マーカー１５とにより構成されている。
【００１８】
尚、図１に示す本実施形態においては、照準マーカー１５は対物透光窓１３の内側に具備されるようにしたが、これに限定される必要はなく、例えば、対物透光窓１３の外側に具備されても良く、また、図２に示すように、照準器１０の対物透光窓１２に照準マーカー１５を嵌入させる構造としても良い。
【００１９】
図１および図２に示す照準器において、接眼透光部１１を覗いて遠く離れた照準ターゲットを注視すると、接眼透光部１１から照準ターゲットまでの距離に比べて著しく短い距離に配置される照準マーカー１５においては、焦点ずれの状態となり、鮮明な像を視認することができないので、図６に示すように、従来の照準器において、照準軸の中心を示すために接眼透光部１１または対物透光部１２に設けられた、透光窓の周辺から中心に向かう突起、あるいは中心から放射状に配された切欠きによる照準マーカーでは、これを確認することは困難であるが、図１および図２に示した本実施形態おける照準マーカー１５によれば、照準ターゲットが視認性に優れた中心部１５ａに視認されるのか、あるいは有色透明な周辺部１５ｂに視認されるのかを判断することは容易である。また、照準ターゲットが照準軸から外れていても、周辺領域１５ｂは有色透明なので、照準ターゲットの存在を広い視野で確認することができる。
【００２０】
図４は本実施形態で示された照準器１０が取り付けられた受光器を示す斜視図であり、受光器の内部構造全体を覆い受光器本体ベース２０に着脱自在に取り付けられるカバー（図示せず）が取り外された状態を示している。
【００２１】
上述したように、図４は受光器を示しているが、受光器の検知部は、受光素子とレンズ等の光を集光するための光学系ユニットとからなる光学ブロックと、受光素子からの出力信号を処理する回路ブロックとから構成され、投光器の検知部は、発光素子とレンズ等の光を集光するための光学系ユニットとからなる光学ブロックと、発光素子を発光制御する回路ブロックとから構成されている。このように、一般的に赤外線式防犯装置を構成する受光器と投光器との基本的な構造は同様なので、以下の説明は、図４に示された受光器を基に行う。
【００２２】
通常、赤外線式防犯装置を設置するには、検知ラインを構成する相対向した両端の略同一の高さに、発光器と受光器とが配置され得るように、壁またはポール等に取り付け用ベース４０を固定し、取り付け用ベース４０の係合部（図示せず）に本体ベース２０の係合部（図示せず）を係合させた後、ロックビス３５等で両者を連結する。
【００２３】
光学ユニット３１をはじめとする検知部は、両端に具備した支軸（図示せず）が受光器本体ベース２０に突設された軸受け部２５ａ，２５ｂに回動自在に支持された検知ブロックケース３０に収納されており、左右方向の検知光軸合わせは、検知ブロックケース３０を回動させて祖調整を行い、微調整を左右方向微調整ネジ３３で行う。また、上下方向の検知光軸合わせは、上述したように、対向する投光器と受光器とが略同一の高さに設置されているので、微調整を上下方向微調整ネジ３２で行う。
【００２４】
照準器１０は、照準軸が受光器の検知光軸と常に平行となるように、光学ユニット３１をはじめとする検知部が収納された検知ブロックケース３０に一体に取り付けられており、照準軸と検知光軸とは連動して調整され得るので、照準器１０の接眼透光部１１を覗きながら、照準ターゲットが、対物透光窓１２に備えられた照準マーカー１５の中心領域に視認できるように、検知ブロックケース３０を回動させて左右方向の祖調整を行い、照準器１０の接眼透光部１１を覗いたまま目の焦点を照準マーカーに合わせ、左右方向微調整ネジ３３を操作して照準軸の微調整を行う。また、上下方向の検知光軸合わせにおいても、照準器１０の接眼透光部１１を覗いたまま目の焦点を照準マーカーに合わせ、上下方向微調整ネジ３２を操作して照準軸の微調整を行う。その後、必要であれば、受光器に備えられているレベルモニタ孔２６にテスタープローブ等を差し込み、受光増幅回路の出力レベルを計測して、最終的な検知光軸の一致状態を確認する。
【００２５】
尚、照準マーカー１５の有色透明な周辺領域１５ｂを構成するには、■有色透明な樹脂材料を用いて成形したり、■例えば、透明な樹脂板またはガラス板に、有色透明なフィルムを貼付したり、または、■例えば、透明な樹脂板またはガラス板に、有色透明なインクで印刷を施す、等の方法が好適である。
【００２６】
通常、赤外線式防犯装置の検知光軸合わせの確認および調整作業は、カバーを取り外した状態で行うので、図４に示された斜視図において、本体ベース２０および本体ベース２０上に突設または配設された、例えば、軸受け部２５ａ，２５ｂ、検知ブロックケース３０等が蛍光色の色調を呈するように、蛍光色の樹脂材料を用いて成形すれば、照準ターゲットとして視認性が良好な、投光器および受光器により構成される赤外線防犯装置が実現できる。
【００２７】
尚、図４に示された斜視図において、本体ベース２０および本体ベース２０上に突設または配設された、例えば、軸受け部２５ａ，２５ｂ、検知ブロックケース３０等が蛍光色の色調を呈するようにする手段は、上記した方法に限定されるものではなく、蛍光色の塗料で塗装したり、蛍光色のシールを貼付しても良い。また、蓄光蛍光材が配合されている樹脂材料を用いて本体ベース２０、軸受け部２５ａ，２５ｂ、検知ブロックケース３０等を成形すれば、暗い設置環境において、より視認性の良好な、投光器および受光器により構成される赤外線防犯装置が実現できる。
【産業上の利用可能性】
【００２８】
照準視野が広く、精度に優れた光軸調整が容易で、且つ簡単な構成により小型化できる照準器は、幅広い種類の赤外線式防犯装置に適用できる。また、比較的容易な手段で、赤外線式防犯装置を構成する投光器および受光器の少なくとも一方に蛍光色の色調を呈する部分を設けることで、光軸確認作業時の照準ターゲットの視認性を高めることができ、例えば、蛍光色のシールを貼付する手段によれば、新たな加工を必要とせずに従来の赤外線式防犯装置に適用できる。
【図面の簡単な説明】
【００２９】
【図１】本発明に係る照準器の一実施形態を示す概略断面図である。（実施例１）
【図２】本発明に係る照準器の実施例１の変形例を示す概略断面図である。
【図３】本発明に係る照準器透光部を示す正面図である。
【図４】本発明の照準器が取り付けられた受光器を示す斜視図である。
【図５】従来の照準器の一例を示す概略断面図である。
【図６】（ａ），（ｂ）は従来の照準器における照準マーカーの一例を示す正面図である。
【符号の説明】
【００３０】
１０    照準器
１１    接眼透光部
１２    対物透光部
１３    対物透光窓
１５    照準マーカー
１５ａ  照準マーカー中心領域
１５ｂ  照準マーカー周辺領域
１６    平面ミラー
２０    本体ベース
２５ａ，２５ｂ  軸受け部
２６    レベルモニタ孔
３０    検知ブロックケース
３１    光学ユニット
３２    上下方向微調整ネジ
３３    左右方向微調整ネジ
３５    ロックビス
４０    取り付け用ベース
【図１】
2005049206.tif 000003
【図２】
2005049206.tif 000004
【図３】
2005049206.tif 000005
【図４】
2005049206.tif 000006
【図５】
2005049206.tif 000007
【図６】
2005049206.tif 000008
【手続補正書】
【提出日】平成15年7月29日(2003.7.29)
【手続補正１】
【補正対象書類名】図面
【補正対象項目名】図２
【補正方法】変更
【補正の内容】
【図２】
2005049206.tif 000009